(57)【要約】【課題】遊技場利用者の銀行等の口座の残高が不足した場合であっても、遊技場利用者の銀行等の口座と遊技場側との間で即時決済を行うことを可能にする。【解決手段】遊技場利用者Ｐの個人認証カード３を読み取るカード読取手段１１と、個人認証カード３から読み取った情報に基づいて遊技場利用者Ｐの口座の残高照会を行う残高照会手段１２と、残高照会を行った口座に指定された金額に対する残高があった場合に、この指定された金額を遊技用カード１に付加する金額付加手段１４と、個人認証カード３から読み取った情報に基づいて、遊技用カード１に付加した金額を遊技場利用者の口座との間で決済する決済手段１５と、個人認証カード３から読み取った情報に基づいて指定された金額の融資を依頼する融資依頼手段２３と、融資の依頼に対し、指定された金額を、個人認証カード３から読み取った情報に基づいて遊技場利用者Ｐの口座に振り込む融資手段３１とを有する。【選択図】図１
2005032174.tif 000002
【特許請求の範囲】
【請求項１】
遊技場利用者の口座を特定するための情報が記録された個人認証カードを読み取るカード読取手段と、
金額の指定を受け付ける金額指定手段と、
前記個人認証カードから読み取った情報に基づいて、前記金額指定手段により指定された金額に対する遊技場利用者の口座の残高照会を行う残高照会手段と、
前記残高照会を行った遊技場利用者の口座に、前記金額指定手段により指定された金額に対する残高があった場合に、この指定された金額を遊技用カードに付加する金額付加手段と、
前記個人認証カードから読み取った情報に基づいて、前記遊技用カードに付加した金額を遊技場利用者の口座との間で決済する決済手段と、
前記個人認証カードから読み取った情報に基づいて、前記金額指定手段により指定された金額の融資を依頼する融資依頼手段と、
前記融資の依頼に対し、前記金額指定手段により指定された金額を、前記個人認証カードから読み取った情報に基づいて遊技場利用者の口座に振り込む融資手段と
を有する遊技用カードシステム。
【請求項２】
前記金額指定手段、カード読取手段、残高照会手段、金額付加手段および決済手段を遊技場側の装置に備え、
前記カード読取手段、カード読取手段および融資依頼手段を遊技場外の装置に備え、
前記融資手段を資金貸付機関側の装置に備えた
請求項１記載の遊技用カードシステム。
【請求項３】
前記金額指定手段、カード読取手段、残高照会手段、金額付加手段、決済手段および融資依頼手段を遊技場側の装置に備え、
前記融資手段を資金貸付機関側の装置に備えた
請求項１記載の遊技用カードシステム。
【請求項４】
前記資金貸付機関が、前記口座の金融機関と別の機関である請求項２または３に記載の遊技用カードシステム。
【請求項５】
前記資金貸付機関が、前記口座の金融機関と同じ機関である請求項２または３に記載の遊技用カードシステム。
【請求項６】
遊技場利用者の口座を特定するための情報が記録された個人認証カードを読み取るステップと、
金額の指定を受け付けるステップと、
前記個人認証カードから読み取った情報に基づいて、前記指定された金額の融資を依頼するステップと、
前記融資の依頼に対し、前記指定された金額を、前記個人認証カードから読み取った情報に基づいて遊技場利用者の口座に振り込むステップと、
前記個人認証カードから読み取った情報に基づいて、前記指定された金額に対する遊技場利用者の口座の残高照会を行うステップと、
前記残高照会を行った遊技場利用者の口座に、前記指定された金額に対する残高があった場合に、この指定された金額を前記遊技用カードに付加するステップと、
前記個人認証カードから読み取った情報に基づいて、前記遊技用カードに付加した金額を遊技場利用者の口座との間で決済するステップと
を含む遊技用カードの決済方法。
【発明の詳細な説明】
【技術分野】
【０００１】
本発明は、パチンコ店、ゲームセンタ、遊園地等の遊技場において利用される遊技用カードを管理する遊技用カードシステムおよびこの遊技用カードの決済方法に関する。
【背景技術】
【０００２】
従来、パチンコ店、ゲームセンタ、遊園地等の遊技場において、遊技場利用者が予め遊技用カードを購入し、この遊技用カードの金額内で遊技場内の施設を利用可能とする遊技用カードシステムが導入されている。この遊技用カードシステムにおいて、遊技用カードを購入してからそのカード残額を精算するまでの流れは、例えばパチンコ店では次のようになっている。
【０００３】
パチンコ店には、カード販売機、玉貸機、パチンコ機、カード精算機、計数機等の機器が設置されている。カード販売機では、投入された現金の金額に応じた遊技用カードを販売する。次に、玉貸機は、遊技用カードの金額内で玉貸しを行うと共に、この玉貸し分の金額を遊技用カードから減算する。そして、遊技後、遊技用カードに残額があり精算する場合は、遊技用カードをカード精算機に投入して、残額分の現金を受け取る。
【０００４】
ところで、特許文献１には、遊技用カードを購入する際、遊技場利用者のキャッシュカードの銀行口座とパチンコ店の銀行口座との間でリアルタイムに決済処理するようにしたシステムが提案されている。このシステムでは、遊技用カードの残額が０となった場合または不足した場合に、遊技場利用者の銀行口座からパチンコ店の銀行口座へ代金の即時決済を行うことにより、遊技用カードの残額を増やして遊技を続行することが可能である。
【０００５】
【特許文献１】特開２００１−２９６２６号公報
【発明の開示】
【発明が解決しようとする課題】
【０００６】
ところが、上記特許文献１のシステムでは、遊技場利用者の口座残高が不足していた場合、遊技場利用者の銀行口座とパチンコ店の銀行口座との間で即時決済を行うことができなくなる。そのため、カード発行機の金額選択ボタンのランプを消灯のままとして、遊技用カードを購入したり、残高を増やしたりすることができないようにしている。したがって、遊技場利用者は、銀行口座の残高が不足した場合、遊技を続行したくても続行することができなくなる。
【０００７】
そこで、本発明においては、遊技場利用者の銀行等の口座の残高が不足した場合であっても、遊技場利用者の銀行等の口座と遊技場側との間で即時決済を行うことを可能にすることにより、遊技場利用者が遊技を続行することを可能にする遊技用カードシステムおよび遊技用カード決済方法を提供する。
【課題を解決するための手段】
【０００８】
本発明の遊技用カードシステムは、遊技場利用者の口座を特定するための情報が記録された個人認証カードを読み取るカード読取手段と、金額の指定を受け付ける金額指定手段と、個人認証カードから読み取った情報に基づいて、金額指定手段により指定された金額に対する遊技場利用者の口座の残高照会を行う残高照会手段と、残高照会を行った遊技場利用者の口座に、金額指定手段により指定された金額に対する残高があった場合に、この指定された金額を遊技用カードに付加する金額付加手段と、個人認証カードから読み取った情報に基づいて、遊技用カードに付加した金額を遊技場利用者の口座との間で決済する決済手段と、個人認証カードから読み取った情報に基づいて、金額指定手段により指定された金額の融資を依頼する融資依頼手段と、融資の依頼に対し、金額指定手段により指定された金額を、個人認証カードから読み取った情報に基づいて遊技場利用者の口座に振り込む融資手段とを有するものである。
【０００９】
本発明の遊技用カードシステムでは、カード読取手段が、遊技場利用者の口座を特定するための情報が記録された個人認証カードを読み取るとともに、金額指定手段が、金額の指定を受け付けると、残高照会手段が、この個人認証カードから読み取った情報に基づいて、金額指定手段により指定された金額に対する遊技場利用者の口座の残高照会を行う。ここで、残高照会を行った遊技場利用者の口座に、金額指定手段により指定された金額に対する残高があった場合には、金額付加手段が、この指定された金額を遊技用カードに付加するとともに、決済手段が、この個人認証カードから読み取った情報に基づいて、遊技用カードに付加した金額を遊技場利用者の口座との間で決済する。
【００１０】
一方、残高照会を行った遊技場利用者の口座に、金額指定手段により指定された金額に対する残高がない場合等には、個人認証カードから読み取った情報に基づいて、融資依頼手段が、指定された金額の融資を依頼する。そして、融資手段が、この融資の依頼に対し、指定された金額を、個人認証カードから読み取った情報に基づいて遊技場利用者の口座に振り込む。これにより、残高照会手段が残高照会を行う遊技場利用者の口座に、金額指定手段により指定された金額に対する残高が発生するため、金額付加手段が、この指定された金額を遊技用カードに付加するとともに、決済手段が、この個人認証カードから読み取った情報に基づいて、遊技用カードに付加した金額を遊技場利用者の口座との間で決済する。
【００１１】
本発明の遊技用カードの決済方法は、遊技場利用者の口座を特定するための情報が記録された個人認証カードを読み取るステップと、金額の指定を受け付けるステップと、個人認証カードから読み取った情報に基づいて、指定された金額の融資を依頼するステップと、融資の依頼に対し、指定された金額を、個人認証カードから読み取った情報に基づいて遊技場利用者の口座に振り込むステップと、個人認証カードから読み取った情報に基づいて、指定された金額に対する遊技場利用者の口座の残高照会を行うステップと、残高照会を行った遊技場利用者の口座に、指定された金額に対する残高があった場合に、この指定された金額を遊技用カードに付加するステップと、個人認証カードから読み取った情報に基づいて、遊技用カードに付加した金額を遊技場利用者の口座との間で決済するステップとを含む。
【発明の効果】
【００１２】
本発明によれば、遊技場利用者の口座を特定するための情報が記録された個人認証カードを読み取り、金額の指定を受け付け、個人認証カードから読み取った情報に基づいて、指定された金額の融資を依頼し、融資の依頼に対し、指定された金額を、個人認証カードから読み取った情報に基づいて遊技場利用者の口座に振り込み、個人認証カードから読み取った情報に基づいて、指定された金額に対する遊技場利用者の口座の残高照会を行い、残高照会を行った遊技場利用者の口座に、指定された金額に対する残高があった場合に、この指定された金額を遊技用カードに付加し、個人認証カードから読み取った情報に基づいて、遊技用カードに付加した金額を遊技場利用者の口座との間で決済する構成により、遊技場利用者の銀行等の口座の残高が不足した場合であっても、遊技場利用者が個人認証カードにより融資申請を行うことにより、その個人認証カードにより特定される口座に振り込みが行われるため、遊技場利用者の銀行等の口座と遊技場側との間で即時決済を行うことが可能となる。これにより、遊技場利用者が遊技を続行することが可能になる。
【発明を実施するための最良の形態】
【００１３】
（実施の形態１）
図１は本発明の第１の実施の形態における遊技用カードシステムの概略構成図、図２は図１の遊技用カードシステムの機能ブロック図である。
【００１４】
図１に示すように、本発明の第１の実施の形態における遊技用カードシステムは、遊技場としてのパチンコ店で遊技場利用者Ｐが遊技の際に利用する遊技用カード１を管理するものである。遊技場利用者Ｐは、予め購入した遊技用カード１の金額内でパチンコ店内の施設を利用することが可能である。例えば、遊技場利用者Ｐは、遊技用カード１を遊技としてのパチンコの貸し玉・貸しメダルの代金の支払いに利用する。本実施形態における遊技用カードシステムは、パチンコ店内に、遊技用カード１の購入および残高の加算を行うためのカード発行装置２を有する。
【００１５】
遊技場利用者Ｐは、この遊技用カード１の購入および残高加算に関する決済を、個人認証カード３を利用して行うことが可能である。個人認証カード３には、各遊技場利用者が金銭を預け入れている銀行や郵便局等の金融機関（以下、「銀行等」と称す。）４の口座を特定するための情報が記録されている。この情報は、例えば、カードＩＤ、氏名、銀行等ＩＤ、暗証番号などの個人を特定する個人情報などである。個人認証カード３は、その銀行等によって各遊技場利用者に発行されているものである。
【００１６】
図２に示すように、カード発行装置２は、遊技場利用者Ｐの個人認証カード３を読み取るカード読取手段１１と、遊技場利用者Ｐの個人認証カード３により特定される口座の残高照会を行う残高照会手段１２と、遊技用カード１に付加する金額の指定を受け付ける金額指定手段１３と、金額指定手段１３により指定された金額を遊技用カード１に付加する金額付加手段１４と、金額付加手段１４により遊技用カード１に付加した金額に関する決済を行う決済手段１５とを備える。
【００１７】
また、図１に示すように本実施形態における遊技カードシステムは、遊技場利用者Ｐの個人認証カード３により特定される銀行４等の口座の残高が不足している場合等に、消費者金融会社などの資金貸付機関（以下、「消費者金融」と称す。）５から融資を受けるための融資申請装置６を有する。なお、本実施形態における融資申請装置６は、パチンコ店側の装置であるカード発行装置２に対し、パチンコ店外の景品交換所等に設置された装置である。
【００１８】
融資申請装置６は、遊技場利用者Ｐの個人認証カード３を読み取るカード読取手段２１と、融資金額の指定を受け付ける金額指定手段２２と、遊技場利用者Ｐの個人認証カード３により特定される口座に対する金額指定手段２２により指定された金額の融資を依頼する融資依頼手段２３とを備える。一方、消費者金融５は、融資依頼手段２３からの融資の依頼に対して、指定された金額を遊技場利用者Ｐの個人認証カード３により特定される口座に振り込む融資手段３１を備える。
【００１９】
以下、上記構成の遊技用カードシステムによる処理の詳細について、図３のフロー図に従って説明する。
【００２０】
ステップＳ１０１：まず遊技場利用者はカード発行装置２に対して、自分自身の個人認証カード３をカード読取手段１１に読み取らせるとともに、新規に遊技用カード１を購入する場合はその購入する遊技用カード１の金額を、既に購入済みの遊技用カード１に金額を加算する場合はその遊技用カード１に加算する金額を金額指定手段１３に指定する。
【００２１】
ステップＳ１０２：カード読取手段１１は、個人認証カード３に記録された情報を読み取り、この読み取った情報を残高照会手段１２に渡す。残高照会手段１２は、この個人認証カード３から読み取った情報に基づいてこの遊技場利用者の口座の銀行等４を特定し、金額指定手段１３により指定された金額に対する遊技場利用者の口座４の残高照会を行う。
【００２２】
ステップＳ１０３：ここで、金額指定手段１３により指定された金額に対する残高がある場合には、金額付加手段１４は遊技用カード１に指定された金額を付加する。このとき、カード発行装置２は、新規に遊技用カード１を発行する場合には、指定された金額分利用可能な遊技用カード１を新たに発行する。既に購入済みの遊技用カード１に金額を加算する場合は、その遊技用カード１に指定された金額分を加算する。
【００２３】
ステップＳ１０４：決済手段１５は、この金額付加手段１４により遊技用カード１に付加した金額の代金を、カード読取手段１１により個人認証カード３から読み取った情報に基づいて遊技場利用者の口座４との間で決済する。
【００２４】
ステップＳ１０５：ステップＳ１０２において金額指定手段１３により指定された金額に対する残高がない場合、金額付加手段１４は遊技用カード１に指定された金額を付加しないため、遊技場利用者は、パチンコ店外の融資申請装置６から融資を申請する。具体的には、遊技場利用者は融資申請装置６に対して、個人認証カード３をカード読取手段２１に読み取らせるとともに、融資金額を金額指定手段２２に指定する。
【００２５】
ステップＳ１０６：カード読取手段２１は、個人認証カード３に記録された情報を読み取り、この読み取った情報を融資依頼手段２３に渡す。融資依頼手段２３は、この個人認証カード３から読み取った情報に基づいて、金額指定手段２２により指定された金額の融資を消費者金融５へ申請する。
【００２６】
ステップＳ１０７：消費者金融５の融資手段３１は、融資依頼手段２３からの申請に対し、個人認証カード３から読み取った情報に基づいてこの遊技場利用者への融資の査定を行い、融資に問題がなければこの個人認証カード３から読み取った情報に基づいて遊技場利用者の銀行等４の口座を特定し、この口座に対して指定金額の振り込みを行う。
【００２７】
これにより、この遊技場利用者の個人認証カード３の銀行等４の口座に遊技用カード１への金額の付加に必要な残高が発生することになるため、その後、ステップＳ１０２，Ｓ１０３，Ｓ１０４を経て、遊技場利用者は遊技用カード１に指定した金額が付加される。
【００２８】
以上のように、本実施形態における遊技用カードシステムでは、遊技場利用者の個人認証カード３により特定される銀行等４の口座の残高が不足した場合であっても、遊技場利用者が融資申請装置６にて個人認証カード３により融資申請を行うことにより、消費者金融５によりその個人認証カード３により特定される銀行等４の口座に振り込みが行われる。これにより、遊技場利用者Ｐの個人認証カード３により特定される銀行等４の口座とパチンコ店側との間で遊技用カード１への金額の付加に対する即時決済を行うことが可能となり、遊技場利用者Ｐはパチンコを続行することが可能となる。
【００２９】
なお、図１に示す携帯端末装置７は、カード発行装置２と同様の機能を有した子端末である。遊技場利用者Ｐは、上記カード発行装置２に対する操作と同様の操作を、この携帯端末装置７に対して行うことにより、上記と同様の結果を得ることができる。
【００３０】
（実施の形態２）
図４は本発明の第２の実施の形態における遊技用カードシステムの概略構成図である。
【００３１】
図４に示すように、本発明の第２の実施の形態における遊技用カードシステムは、上記第１実施形態における遊技用カードシステムの消費者金融５を、銀行等４と同じ機関として構成したものである。この場合、図２の融資手段３１は、銀行等４側に備える。他の構成については、第１実施形態と同様である。
【００３２】
このような構成においては、第１実施形態における消費者金融５と銀行等４との間の処理が、銀行等４内部の処理となるだけであり、他の処理については第１実施形態と同様である。本発明の第２の実施の形態における遊技用カードシステムにおいては、第１実施形態における遊技用カードシステムと同様の結果を得ることができることに加え、別の機関である消費者金融５と銀行等４との間の手続を簡略化することができる。
【００３３】
（実施の形態３）
図５は本発明の第３の実施の形態における遊技用カードシステムの概略構成図である。
【００３４】
図５に示すように、本発明の第３の実施の形態における遊技用カードシステムは、上記第１実施形態における遊技用カードシステムの融資申請装置６と同様の機能をカード発行装置２内に組み込んだものである。この場合、図２の融資依頼手段２３はカード発行装置２内に備える。融資依頼手段２３は、カード読取装置１１により読み取った個人認証カード３の情報に基づき、金額指定手段１３により指定された金額の融資を消費者金融５に対して申請する。他の構成については、第１実施形態と同様である。
【００３５】
このような構成においては、第１実施形態において遊技場利用者Ｐが、カード発行装置２および融資申請装置６の両方に対してそれぞれ行っていた操作を、カード発行装置２に対して行うようになるだけであり、他の処理については第１実施形態と同様である。本発明の第３の実施の形態における遊技用カードシステムにおいても、第１実施形態における遊技用カードシステムと同様の結果を得ることができる。また、これに加えて、遊技場利用者Ｐは、個人認証カード３により特定される口座の残高が足りない場合に、パチンコ店外の融資申請装置６で操作を行う必要がなく、パチンコ店内のカード発行装置２に対して操作を行うだけで、融資を受け、遊技用カード１の残高を加算してパチンコを続行することが可能となる。
【００３６】
（実施の形態４）
図６は本発明の第４の実施の形態における遊技用カードシステムの概略構成図である。
【００３７】
図６に示すように、本発明の第４の実施の形態における遊技用カードシステムは、上記第３実施形態における遊技用カードシステムを基本として、上記第２実施形態における遊技用カードシステムと同様、消費者金融５を、銀行等４と同じ機関として構成したものである。他の構成については、第３実施形態と同様である。
【００３８】
このような構成によれば、上記第３実施形態と同様の結果を得ることができることに加え、上記第２実施形態と同様、別の機関である消費者金融５と銀行等４との間の手続を簡略化することができる。
【００３９】
（実施の形態５）
図７は本発明の第５の実施の形態における遊技用カードシステムの概略構成図である。
【００４０】
図７に示すように、本発明の第５の実施の形態における遊技用カードシステムは、上記第１実施形態における遊技用カードシステムに対し、カード発行装置２、融資申請装置６、消費者金融５および銀行等４間での情報の中継を行うデータセンタ９を追加した構成である。
【００４１】
データセンタ９は、カード読取装置１１により読み取られ、カード発行装置２から送信された個人認証カード３の情報を保持し、管理する。データセンタ９は、この個人認証カード３の情報を必要に応じてカード発行装置２、融資申請装置６、消費者金融５および銀行等４間の認証に利用する。
【００４２】
なお、この第５実施形態の遊技用カードシステムにおいても、第２実施形態と同様に消費者金融５を銀行等４と同じ機関として構成したり、第３実施形態と同様に融資申請装置６と同様の機能をカード発行装置２内に組み込んで構成したり、さらに第４実施形態と同様にこれらを組み合わせて構成したりすることが可能である。
【産業上の利用可能性】
【００４３】
本発明に係る遊技用カードシステムおよび遊技用カードの決済方法は、パチンコ店、ゲームセンタ、遊園地等の遊技場において利用される遊技用カードを管理、決済するシステムに用いるのに適している。
【図面の簡単な説明】
【００４４】
【図１】本発明の第１の実施の形態における遊技用カードシステムの概略構成図である。
【図２】図１の遊技用カードシステムの機能ブロック図である。
【図３】図１の遊技用カードシステムによる処理のフロー図である。
【図４】本発明の第２の実施の形態における遊技用カードシステムの概略構成図である。
【図５】本発明の第３の実施の形態における遊技用カードシステムの概略構成図である。
【図６】本発明の第４の実施の形態における遊技用カードシステムの概略構成図である。
【図７】本発明の第５の実施の形態における遊技用カードシステムの概略構成図である。
【符号の説明】
【００４５】
１  遊技用カード
２  カード発行装置
３  個人認証カード
４  銀行等
５  消費者金融
６  融資申請装置
７  携帯端末装置
９  データセンタ
Ｐ  遊技場利用者
１１，２１  カード読取手段
１２  残高照会手段
１３，２２  金額指定手段
１４  金額付加手段
１５  決済手段
２３  融資依頼手段
３１  融資手段
【図１】
2005032174.tif 000003
【図２】
2005032174.tif 000004
【図３】
2005032174.tif 000005
【図４】
2005032174.tif 000006
【図５】
2005032174.tif 000007
【図６】
2005032174.tif 000008
【図７】
2005032174.tif 000009